(57)【要約】  【課題】  多重反射が軽減されると共に、スペーサーの種類を減少できる多層光情報記録媒体を提供する。  【解決手段】  読み取り側から最も遠い情報記録層がＬ０とされ、光軸方向にＬ１，Ｌ２，Ｌ３，・・・，Ｌ７が順に積層され、各情報記録層間に厚みがｔ0〜ｔ6の７個のスペーサーが配置される。ｎ＝２以上の場合に、（Ｒn+2×Ｒn+3＜0.0１）を満たすため、（ｔ1＞ｔ0＞ｔ3＝ｔ5＞ｔ2＝ｔ4＝ｔ6）の関係とされている。つまり、ｔ6＝ｔ4＝ｔ2且つｔ5＝ｔ3と設定することが可能となり、多重反射を軽減するために必要なスペーサーの種類を７種類から４種類まで減らすことが可能となる。スペーサーの種類を減らすことによって大量生産が容易となり、よりローコストに多層光ディスクを製造することが可能となる。【選択図】  図９
2006040456.tif 000002
【特許請求の範囲】
【請求項１】
凹凸形状や位相変化を伴う情報ピット、或いは反射率や位相変化を伴う記録マークの形成によって信号情報が記録された、４層以上の情報記録層を有する多層光情報記録媒体において、
情報記録層と隣接する情報記録層との間に、略一定の厚さを有する透明な材料で構成されたスペーサーを配置し、
２ｍ番目に位置するスペーサーの厚さｔ2mと、隣接する他のスペーサーの厚さｔ2m+1、ｔ2(m+1)との間に、下記の式（１）および式（２）の関係が共に成り立つように設定され、且つ第ｎ層である情報記録層（Ｌｎ）の手前に位置する、ｎ＋２ 、およびｎ＋３層に
形成された反射膜における強度反射率（それぞれＲn+2、Ｒn+3）が式（３）の関係を満たしている情報記録層（Ｌｎ）については、少なくとも ｔn+2＝ｔn或いはｔn+3＝ｔn+1の
何れかが概ね成り立つように、スペーサーの厚さを設定することを特徴とする多層光情報記録媒体。
ｔ2m+1＞ｔ2m         （１）
ｔ2m+1＞ｔ2(m+1)     （２）
（ここで、ｍは０以上の整数であり、例えば、ｔ0は信号読み取り、或いは信号記録を行
う側から、最も遠くに位置する第０層の情報記録層（Ｌ０）と、光軸方向でその手前に位置する第１層の情報記録層（Ｌ１）との間に挟まれたスペーサーの厚さを示し、ｔ1は第
１層の情報記録層（Ｌ１）と第２層の情報記録層（Ｌ２）との間に挟まれたスペーサーの厚さを示している。）
Ｒn+2×Ｒn+3＜0.0１  （３）
（ここで、ｎは０以上の整数である。）
【請求項２】
請求項１において、
略一定の厚さを有する上記スペーサーは、透明なシート、或いはフィルム材料によって形成されていることを特徴とする多層光情報記録媒体。
【請求項３】
請求項１において、
光ディスク媒体であることを特徴とする多層光情報記録媒体。
【請求項４】
請求項３において、
信号読み取り、或いは信号記録を行う側から、最も近くに位置する情報記録層に対して光透過層がさらに積層された多層光情報記録媒体。
【請求項５】
凹凸形状や位相変化を伴う情報ピット、或いは反射率や位相変化を伴う記録マークの形成によって信号情報が記録された、４層以上の情報記録層を有する多層光情報記録媒体において、
情報記録層と隣接する情報記録層との間に、略一定の厚さを有する透明な材料で構成されたスペーサーを配置し、
２ｍ番目に位置するスペーサーの厚さｔ2mと、隣接する他のスペーサーの厚さｔ2m+1、ｔ2(m+1)との間に、下記の式（４）および式（５）の関係が共に成り立つように設定され、且つ第ｎ層である情報記録層（Ｌｎ）の手前に位置する、ｎ＋２ 、およびｎ＋３層に
形成された反射膜における強度反射率（それぞれＲn+2、Ｒn+3）が式（３）の関係を満たしている情報記録層（Ｌｎ）については、少なくとも ｔn+2＝ｔn或いはｔn+3＝ｔn+1の
何れかが概ね成り立つように、スペーサーの厚さを設定することを特徴とする多層光情報記録媒体。
ｔ2m＞ｔ2m+1         （４）
ｔ2(m+1)＞ｔ2m+1     （５）
（ここで、ｍは０以上の整数であり、例えば、ｔ0は信号読み取り、或いは信号記録を行
う側から、最も遠くに位置する第０層の情報記録層（Ｌ０）と、光軸方向でその手前に位置する第１層の情報記録層（Ｌ１）との間に挟まれたスペーサーの厚さを示し、ｔ1は第
１層の情報記録層（Ｌ１）と第２層の情報記録層（Ｌ２）との間に挟まれたスペーサーの厚さを示している。）
Ｒn+2×Ｒn+3＜0.0１  （３）
（ここで、ｎは０以上の整数である。）
【請求項６】
請求項５において、
略一定の厚さを有する上記スペーサーは、透明なシート、或いはフィルム材料によって形成されていることを特徴とする多層光情報記録媒体。
【請求項７】
請求項５において、
光ディスク媒体であることを特徴とする多層光情報記録媒体。
【請求項８】
請求項７において、
信号読み取り、或いは信号記録を行う側から、最も近くに位置する情報記録層に対して光透過層がさらに積層された多層光情報記録媒体。
【発明の詳細な説明】
【技術分野】
【０００１】
この発明は、複数の情報記録層を有する、光ディスクに代表される多層情報記録媒体に関する。
【背景技術】
【０００２】
光ディスクの面記録密度（媒体当たりの記録容量）を高める目的で、青紫色半導体レーザと高開口数対物レンズを用いた光ディスク装置Blu-ray Disc（商標、以下、ＢＤディスクと適宜表記する）が提案された。ＢＤ規格では、ビームスポット径を小とするために、光源波長を４０５ｎｍとし、対物レンズの開口数ＮＡ(Numerical Aperture)を０．８５と大きくしている。
【０００３】
スポット径を１．２２×λ／ＮＡと定義すると、ＣＤ規格では、光源波長：７８０ｎｍ、ＮＡ：０．４５、スポット径：２．１１μｍであり、ＤＶＤ（Digital Versatile Disc）規格では、光源波長：６５０ｎｍ、ＮＡ：０．６、スポット径：１．３２μｍである。ＢＤ規格では、スポット径を０．５８μｍまで絞ることができ、ＤＶＤと比して、約１／５とすることができる。さらに、対物レンズの開口数ＮＡを高めた結果、ディスク面とレーザ光の光軸がなす角度の９０°からの傾きに許される角度誤差（チルト・マージンと称される）が小さくなるので、情報層を覆うカバー層を０．１mmまで薄くしている。
【０００４】
片面２層ディスクの場合では、レーザ光の入射方向から見て１００μｍの深さにある情報層（ＢＤ−ＲＯＭディスクの場合の反射層および記録可能なＢＤディスクの場合の記録層の両方を意味する。）を基準層（第０記録層、Ｌ０層と呼ばれる）とし、７５μｍの深さに追加する記録層を第１記録層（Ｌ１層）と定義している。このように、より一層の大容量化を実現するためには、情報記録層を複数とする多層ディスクが有望と考えられている。
【０００５】
ＢＤディスクにおける記録媒体多層化の提案としては、下記の非特許文献１に記載のものがある。
【０００６】
【非特許文献１】N. Shida, T. Higuchi, Y. Hosoda, H. Miyoshi, A. Nakano,and K. Tsuchiya, "The BD-Type Multi-Layer 100GB ROM Disk Using the PhotopolymerSheet," Technical Digest of International Symposium on Optical Memory, Nara, pp.10（2003）
【０００７】
この非特許文献１は、４層ＢＤディスクの可能性を報告した内容であり、４層ＢＤディスクを構成する中間層材料（スペーサー）を全て違う厚さにすることで、複数の情報記録層間で発生する多重反射の影響を軽減する手法について提案された。図１０は、非特許文献１に記載の４層ＢＤディスクの構成を示す。１．１mm厚みのディスク基板１上にＬ０層が形成され、その上に順にＬ１層、Ｌ２層、Ｌ３層が形成され、レーザ光の入射側に光透過層（カバー層とも称される）が形成される。Ｌ０層およびＬ１層間のスペーサーの厚みが１５μｍとされ、Ｌ１層およびＬ２層間のスペーサーの厚みが１７μｍとされ、Ｌ２層およびＬ３層間のスペーサーの厚みが１３μｍとされる。厚みは、２μｍ以上の差を持つことが必要とされている。
【０００８】
ＢＤディスクにおいては、多層ディスクにおけるスペーサーを、フィルム、或いはシート材料によって形成する場合が多い。その理由は、紫外線硬化のレジン材料をスピンコートする手法と比較して、均一な中間層厚みを有する多層ディスク構造の実現が容易なためである。したがって、この手法を用いることで、６層、或いは８層以上の情報記録層を有するディスク媒体を実現することも可能となる。
【発明の開示】
【発明が解決しようとする課題】
【０００９】
非特許文献１の手法を用いて多重反射の影響を排除しようとすると、例えば８層ディスクにおいては、厚さの異なる７種類のスペーサーを用意しなくてはならず、ディスク媒体の大量生産にとって大きな障害となる。
【００１０】
したがって、この発明の目的は、一定の反射率条件を満たす光ディスク媒体を作製することで、多重反射による信号劣化が効果的に軽減されると共に、スペーサーの種類が必要最小限にとどめることが可能な多層光情報記録媒体を提供することにある。
【課題を解決するための手段】
【００１１】
上述した課題を解決するために、この発明の第１の態様は、凹凸形状や位相変化を伴う情報ピット、或いは反射率や位相変化を伴う記録マークの形成によって信号情報が記録された、４層以上の情報記録層を有する多層光情報記録媒体において、
情報記録層と隣接する情報記録層との間に、略一定の厚さを有する透明な材料で構成されたスペーサーを配置し、
２ｍ番目に位置するスペーサーの厚さｔ2mと、隣接する他のスペーサーの厚さｔ2m+1、ｔ2(m+1)との間に、下記の式（１）および式（２）の関係が共に成り立つように設定され、且つ第ｎ層である情報記録層（Ｌｎ）の手前に位置する、ｎ＋２ 、およびｎ＋３層に
形成された反射膜における強度反射率（それぞれＲn+2、Ｒn+3）が式（３）の関係を満たしている情報記録層（Ｌｎ）については、少なくとも ｔn+2＝ｔn或いはｔn+3＝ｔn+1の
何れかが概ね成り立つように、スペーサーの厚さを設定することを特徴とする多層光情報記録媒体である。
ｔ2m+1＞ｔ2m         （１）
ｔ2m+1＞ｔ2(m+1)     （２）
（ここで、ｍは０以上の整数であり、例えば、ｔ0は信号読み取り、或いは信号記録を行
う側から、最も遠くに位置する第０層の情報記録層（Ｌ０）と、光軸方向でその手前に位置する第１層の情報記録層（Ｌ１）との間に挟まれたスペーサーの厚さを示し、ｔ1は第
１層の情報記録層（Ｌ１）と第２層の情報記録層（Ｌ２）との間に挟まれたスペーサーの厚さを示している。）
Ｒn+2×Ｒn+3＜0.0１  （３）
（ここで、ｎは０以上の整数である。）
【００１２】
この発明の第２の態様は、凹凸形状や位相変化を伴う情報ピット、或いは反射率や位相変化を伴う記録マークの形成によって信号情報が記録された、４層以上の情報記録層を有する多層光情報記録媒体において、
情報記録層と隣接する情報記録層との間に、略一定の厚さを有する透明な材料で構成されたスペーサーを配置し、
２ｍ番目に位置するスペーサーの厚さｔ2mと、隣接する他のスペーサーの厚さｔ2m+1、ｔ2(m+1)との間に、下記の式（４）および式（５）の関係が共に成り立つように設定され、且つ第ｎ層である情報記録層（Ｌｎ）の手前に位置する、ｎ＋２ 、およびｎ＋３層に
形成された反射膜における強度反射率（それぞれＲn+2、Ｒn+3）が式（３）の関係を満たしている情報記録層（Ｌｎ）については、少なくとも ｔn+2＝ｔn或いはｔn+3＝ｔn+1の
何れかが概ね成り立つように、スペーサーの厚さを設定することを特徴とする多層光情報記録媒体である。
ｔ2m＞ｔ2m+1         （４）
ｔ2(m+1)＞ｔ2m+1     （５）
（ここで、ｍは０以上の整数であり、例えば、ｔ0は信号読み取り、或いは信号記録を行
う側から、最も遠くに位置する第０層の情報記録層（Ｌ０）と、光軸方向でその手前に位置する第１層の情報記録層（Ｌ１）との間に挟まれたスペーサーの厚さを示し、ｔ1は第
１層の情報記録層（Ｌ１）と第２層の情報記録層（Ｌ２）との間に挟まれたスペーサーの厚さを示している。）
Ｒn+2×Ｒn+3＜0.0１  （３）
（ここで、ｎは０以上の整数である。）
【発明の効果】
【００１３】
この発明によれば、厚さの異なる複数のスペーサーを互い違いに積層することで、多重反射を軽減することができる。また、隣接する情報記録層の反射率の積が比較的小さい光ディスク媒体を作成することで、多重反射による信号劣化を効果的に軽減できると共に、スペーサーの種類を必要最小限にとどめることが可能となり、多層光ディスク媒体の量産を容易にすることができる。
【発明を実施するための最良の形態】
【００１４】
以下、この発明を適用したいくつかの実施形態について、図面を参照しながら詳細に説明する。なお、この発明は以下の例に限定されるものではなく、この発明の要旨を逸脱しない範囲で、任意に変更が可能であることは言うまでもない。すなわち、この発明は、その適用範囲を光ディスク媒体に限定するものではなく、多層記録が実現可能なあらゆる記録方式に対して有効な手法となり得る。この発明の実施形態としては、読み取り専用の多層ＢＤディスクにこの発明を適用した例について説明する。
【００１５】
図１は、ＢＤディスク用の光ピックアップに含まれる対物レンズの構成の一例を示す。光ピックアップは、参照符号１１で示すＢＤディスクのカバー層１１ａの側から信号が凹凸として記録された信号層を読み取るように配置されている。ＢＤディスク１１は、通常、およそ１．１mmのポリカーボネート製基板の上に、信号層と薄型の光透過層が形成された構造を有する。
【００１６】
参照符号１２が第１の対物レンズを示し、参照符号１４が第２の対物レンズを示す。第１および第２の対物レンズ１２および１４は、同一の光軸上に位置するように、レンズホルダ１３によって支持され、これら２枚のレンズは開口数０．８５の2 群対物レンズとして機能する。第１および第２の対物レンズ１２および１４は、光軸方向および信号トラックと直交する方向に可動な構造を持つ２軸電磁アクチュエータ１５上に搭載されている。半導体レーザ光源からのビームは、これら２枚のレンズを通過することによって光ディスク媒体１１上に集光される。なお、対物レンズには、単一レンズを使用することも可能である。
【００１７】
図２は、光ディスク再生用光学ピックアップの一例を示す。半導体レーザ１６からの出射光は、コリメータレンズ１７で平行光とされ、書き換え型および追記型媒体に対するトラック制御誤差信号を演算するために用いられるサイドスポット生成用の回折格子１９、偏光ビームスプリッタ２０、液晶素子２３および１／４波長板２４を通過した後、２群対物レンズ（１２、１４）によって記録媒体上に集光される。１／４波長板２４を直線偏光が通過すると円偏光となり、ディスクで反射された円偏光が１／４波長板２４を通過すると直線偏光（但し、入射光に対して９０°偏光面が回転した光）となる。
【００１８】
半導体レーザ１６からの出射光の一部が偏光ビームスプリッタ２０によって反射した後、集光レンズ２１により発光出力検出用受光素子２２へと導かれて、レーザ出力の強度を一定値に制御する目的で用いられる。なお、受光素子２２への入射光量は、１／２波長板１８を回転させることによって調整が可能である。実際のレーザ出力の強度は、受光素子２２の出力に基づいて図示しないＡＰＣ(Automatic Power Control)回路が所定のものに
制御する。
【００１９】
図３は、球面収差補正素子としての液晶素子２３を示す。液晶素子２３は、例えば文献（M. Iwasaki, M. Ogasawara,and S.Ohtaki,"A New Liquid Crystal Panel for Spherical Aberration Compensation,"Technical Digest of Optical Data Storage Topical Meeting, Santa Fe, pp. 103 （2001））において報告されている、同心状の電極パターン（
２３ａ，２３ｂ，２３ｃ）を有し、各電極への印加電圧に応じて、カバー層の厚さ誤差により生じる球面収差の補正量とほぼ等価な波面を発生することが可能な素子である。
【００２０】
なお、液晶補正素子２３に代えて、エキスパンダーレンズやコリメータ移動によって、球面収差の補正をおこなう手法も用いることができる。
【００２１】
一方、ＢＤディスクからの反射光は、ビームスプリッタ２０で反射した後、検出光路へと導かれる。集光レンズ２５、並びにマルチレンズ２６を通った収束光は、サーボ誤差信号兼、ＲＦ信号検出用受光素子２７へ入射され、光電変換が施される。
【００２２】
受光素子２７は、一例として図４に示す８分割の光検出素子からなり、ＡからＨまでの各素子の出力を使用して、焦点誤差信号、並びにトラック誤差信号を求める演算がなされる。光検出素子Ａ〜Ｄが４分割検出器を構成し、光検出素子ＥおよびＦ並びにＧおよびＨの対がそれぞれ２分割検出器を構成する。トラック誤差が無い場合には、光検出素子ＥおよびＦの分割位置並びにＧおよびＨの分割位置とビームスポットの中心が一致する。トラック誤差に応じてビームスポットが分割位置より片側の光検出素子側にビームスポットの強度分布が偏る。
【００２３】
本例においては、焦点誤差信号（ＦＥ）の検出方法として非点収差法を用いている。この手法においては、図５に示すように、マルチレンズによって、受光素子上で合焦時に円形、それ以外では楕円状の強度分布を示すため、式（７）の演算結果は、合焦時にゼロレベルとなり、デフォーカス時に距離の遠近に応じて＋または−の極性の出力（通称、Ｓ字誤差信号）ＦＥを発生する。
【００２４】
ＦＥ  ＝（Ａ＋Ｃ）−（Ｂ＋Ｄ）      （７）
【００２５】
一方、トラック誤差信号として、予め情報ピット列が形成された再生専用ＲＯＭディスクに対しては、主として位相差法（ＤＰＤ（Differential Phase Detection））が用いられる。この手法は、受光素子ＡとＣの和信号およびＢとＤの和信号それぞれの位相差を検出する手法であり、式（８）によって表されるトラッキング誤差信号ＴＥDPDを出力する
。なお、以下の演算式において、Ａ〜Ｈの記号は、受光素子の参照符号のみならず、受光素子の出力信号の値をも意味している。
【００２６】
ＴＥDPD  ＝φ（Ａ＋Ｃ）−φ（Ｂ＋Ｄ）    （８）
【００２７】
また、予め渦巻き状に溝構造が形成された書き換え型、或いは追記型の光ディスクに対するトラック誤差信号には、差動プッシュプル検出法（ＤＰＰ（Differential Push Pull））が用いられる。具体的には、式（９）で示すように、主ビームから検出される主プッシュプル信号から、２つの副ビームによって検出される副プッシュプル信号の和に係数（ｋ）を乗じて減算することにより、トラック誤差信号ＴＥDPPが演算される。
【００２８】
ＴＥDPP ＝（Ａ＋Ｄ）−（Ｂ＋Ｃ）−ｋ・〔（Ｅ−Ｆ）＋（Ｇ−Ｈ）〕  （９）
【００２９】
また、ＲＦ信号とＳＵＭ信号は、Ａ〜Ｄまでの素子出力の和として以下の式（１０）で与えられ、信号出力の全帯域成分がＲＦ信号として利用され、また、低域成分はＳＵＭ信号として利用される。
ＲＦ＝Ａ＋Ｂ＋Ｃ＋Ｄ    （１０）
【００３０】
なお、焦点誤差信号としてスポットサイズ法やナイフエッジ検出法を用いるようにしても良い。また、トラック誤差信号として単スポットのプッシュプル検出法を用いても良い。この発明で、各サーボ誤差信号の検出方法に関しては、上述した例以外の手法を用いることが可能である。
【００３１】
次に、図２に示す光学ピックアップを用いて、６層の例えば反射膜からなる情報記録層Ｌ０〜Ｌ５を有する多層光ディスクの信号再生をおこなった場合のディスク反射光について説明する。図６は、対物レンズから最も遠いＬ０層に読み取り光が実線で示すように集光される際に、ひとつ手前のＬ１層で反射した光が他の信号層で多重反射する様子を破線で示している。各情報記録層間には、スペーサーが配されている。スペーサーは、略一定の厚さを有する透明な材料で構成されたものである。
【００３２】
Ｌ１層以外の層でも反射した光が生じる。しかしながら、多層光ディスクの場合では、読み取り側から距離が遠い層ほど反射率が高いものとされているので、Ｌ０層における反射光の強度が他の層の反射光よりも大きくなり、読み取り光に対する影響が大きい。
【００３３】
ここで、多層光ディスクの製造方法の一例について説明する。多層光ディスクにおいて、支持基板面に位置する１層目（Ｌ０層）信号面の凹凸形状や位相変化を伴う情報ピットおよびグルーブは、光ディスクメディアで一般的な射出成形法（またはインジェクションモールディング）やプレスモールディング、紫外線硬化樹脂を使うフォトポリマー法（以下、適宜２Ｐ転写法と略す）、半硬化型の紫外線硬化型アシスト粘着フィルムを用いたエンボス転写法等を用いて形成される。
【００３４】
１層目信号面のピットおよびグルーブ上に反射膜または記録膜を被覆する。この膜は、例えば銀合金をスパッタリングで被着した反射膜である。反射率は、反射膜の厚みを変えることで設定している。書き込み可能な光ディスク媒体の場合では、反射率や位相変化を伴う記録マークの形成によって信号情報が記録可能な記録膜が被着される。記録膜は、光磁気膜、相変化膜、色素膜、ホログラム膜などであり、その形成方法も一般的手法である真空蒸着法、スパッタリング法、スピンコーティング、ダイコーティング、ディップコーティング、スプレーコーティングなど所望の形状と光学的に十分な表面の平滑性を付与しうる方法であればいずれでも良い。
【００３５】
上述反射膜または記録膜が形成された１層目信号面の上に、さらにピットおよびグルーブを有する２層目の信号面を形成していく。多層光ディスクの場合では、スペーサーの厚みの精度が高いことが要求されるので、スペーサーは、透明なシートまたは透明なフィルムから形成される。２層目以降の信号面のピットおよびグルーブは、半硬化型の紫外線硬化型アシスト粘着フィルムを用いたエンボス転写法、マスク露光およびエッチングによるフォトリソグラフィー法等で形成し、更にこの上に銀（Ａｇ）合金反射膜、光磁気膜、相変化膜、色素膜、ホログラム膜などの反射膜または記録膜を一般的手法である真空蒸着法、スパッタリング法、スピンコーティング、ダイコーティング、ディップコーティング、スプレーコーティングなどの従来の手法にて被覆する。このようにして、信号面を積層し多層光ディスクを形成する。
【００３６】
この場合、最上部に形成する光透過層は、ＢＤで採用されている透明フィルムを粘着剤を介してラミネート接着したもの、透明フィルムを紫外線硬化接着剤を介して接着したもの、紫外線硬化樹脂を厚めにコーティングすることで光透過層としたものなどがある。さらに、多層光ディスクを再生する場合には、Ｌ０層から再生が開始される。
【００３７】
図６に示される６層ディスク構造例においては、各層の間に配されたスペーサーの厚みｔ0〜ｔ4が互いに等しいものに設定されているので、Ｌ１層で反射した光線がＬ２、Ｌ３を始めとする他の層で多重反射し、本来の再生光であるＬ０層からの反射光に重なってしまい、干渉等を生じ、再生光の劣化を生じさせる。また、最初にＬ１以外の他の信号層で反射した光線も同様に重なるため、Ｌ０層の再生信号は多重反射による大きな信号劣化を被ることとなる。なお、図６においては、対物レンズによって集光された読み取りビームが、図示せぬ光透過層を介してディスク上方から入射するものとして描かれている（図１および図２と図６とは上下関係が異なる）。
【００３８】
かかる問題点を回避する手段として、厚さの異なるスペーサーを用いる手法が有効となる。図７は、２ｍ番目に位置するスペーサーの厚さｔ2mと、隣接する他のスペーサーの厚さｔ2m+1、ｔ2(m+1)との間に、下記の式（１）および（２）に記載された関係が共に成り立つスペーサーの厚さ関係を満たす６層ディスクの例が示す。
【００３９】
ｔ2m+1＞ｔ2m         （１）
ｔ2m+1＞ｔ2(m+1)     （２）
【００４０】
ここで、ｍは０以上の整数であり、例えば、ｔ0は信号読み取り、或いは信号記録を行
う側（集光レンズに代表される光学手段）から、最も遠くに位置する第０層の情報記録層（Ｌ０）と、光軸方向でその手前に位置する第１層の情報記録層（Ｌ１）との間に挟まれたスペーサーの厚さを示し、ｔ1は第１層の情報記録層（Ｌ１）と第２層の情報記録層（
Ｌ２）との間に挟まれたスペーサーの厚さを示している。信号読み取り、或いは信号記録を行う側に最も近い層の上には、光透過層が形成されている。
【００４１】
例えば（ｍ＝０）とした場合に、（ｔ1＞ｔ0）（ｔ1＞ｔ2）となり、（ｍ＝１）とした場合に、（ｔ3＞ｔ2）（ｔ3＞ｔ4）となる。すなわち、ｔ1の厚みを有するスペーサーの
上下のスペーサーの厚みｔ0およびｔ2が厚みｔ1より薄いものとされ、薄いスペーサー、
厚いスペーサーが交互に位置する関係とされる。一例として、図７の例では、スペーサーの厚みが（ｔ1＞ｔ3＞ｔ0＞ｔ2＞ｔ4）とされている。この場合、図６におけるディスク
例とは異なり、Ｌ０層以外の層の中では最も反射率が高いＬ１層で反射した光線の多重反射は、Ｌ０層からの反射光とが光路が一致せず、多重反射による信号劣化を軽減することが可能となる。
【００４２】
このように、多重反射の影響を軽減できる。しかしながら、スペーサーの厚さ誤差を考慮して一定値（例えば２μｎ）以上の厚み違いを有するスペーサーの材料を用意する必要が生じ、ｎ層多層ディスクにおいては、ｎ−１種類にものぼるスペーサーを積層しなくてはならない。そのため、多層ディスクにおけるスペーサーの厚み合計が大きくなると共に、大量生産する場合のコスト増につながるおそれが高い。
【００４３】
ちなみに、開口数を０．８５とするＢＤ光学系においては、隣接する情報記録層からの層間クロストークを考慮し、全ての中間層において、少なくとも１０μｍ程度のスペーサー厚みを確保する必要がある。この点は、冒頭に記載した非特許文献１にも記載されている。また、ディスクの多層化に伴い、単層ディスク構造において1００μｍ程度に設定さ
れていた光透過層の厚さを、５０μｍ以下にまで薄くする必要も生じる。
【００４４】
また、多層光ディスクにおいては、各層の反射率を適切に設定して各層の見かけ上の反射率を所定の値以上とすることが必要とされる。一例として、８層ディスク（Ｌ０〜Ｌ７）を設計する際に想定される各層の反射率の一例を図８に示す。図８において、横軸が層番号を示し、縦軸が反射率を示す。図８では、ディスクの反射率として３．０％、４．０％および４．８％をそれぞれ得るのに必要とされる各層の反射率が示されている。層番号が増加するほど、すなわち、読み取り側からみて奥側になるほど反射率が高いものとされている。
【００４５】
いずれの設計例においても、通常は各層からの反射率が一定値となるように、主として反射膜の材料や厚さが調整され、ディスクの見かけの反射率が３％、４％、４．８％となるように設計される。本設計例では、各層において、透過と反射の他、一定量の吸収、或いは散乱があるものとして計算をおこなった。その結果、８層ディスクにおいては、最大で４．８％程度の反射率まで得られることとなるが、この場合、最も奥の情報記録層であるＬ０での反射率を６５％に設定する必要が生じる。
【００４６】
図６および図７に示したように、多層ディスクにおける多重反射は、信号再生を行っている情報記録層よりも手前に位置する部分で生じている。また、それらの情報記録層における３回、或いは５回以上の繰り返し反射による光線に起因するため、反射率が低い場合には、影響が極めて小さくなることが想像される。しかしながら、反射率を低く設定した場合においても、スペーサーを全て同一の厚みに設定してしまうと、全ての多重反射が重なってしまい、影響を排除するのが困難となる。しかも、反射率を全体として低くすると、検出器の受光素子においてＳ／Ｎが低下する問題が生じる。
【００４７】
そこで、この発明においては、基本的に隣接するスペーサーの厚さのみを異なる値に設定することで、かかる問題点を解決する。例えば、２ｍ番目に位置するスペーサーの厚さ（ｔ2m）と、隣接する他のスペーサーの厚さ（ｔ2m+1）との間に、上述した式（１）および（２）の関係が共に成り立つようにスペーサー厚みを設定する。
【００４８】
加えて、前述の通り、反射率が小さい場合には多重反射の影響は軽微と考えられるため、層間信号クロストークの観点から、信号強度で概ね１％未満であれば、問題ないレベルと想定される。図８の場合では、手前側のＬ４，Ｌ５，Ｌ６，Ｌ７の何れの反射率を０．１以下である。すぐ手前の信号層での反射は、互い違いの厚み設定によって回避されるため、例えば、第ｎ層目の再生信号に対する多重反射では、主として、ｎ＋２層およびｎ＋３層に形成された反射膜における強度反射率（それぞれＲn+2、Ｒn+3と表記する）を、最も影響の大きい3 回の多重反射として考慮すればよい。
【００４９】
すなわち、情報記録層（Ｌｎ）が下記の式（３）の関係を満たしていれば、少なくともｔn+2＝ｔn、またはｔn+3＝ｔn+1の何れかが概ね成り立つように、スペーサーの厚さを設定することが可能となる。
【００５０】
Ｒn+2×Ｒn+3＜０．０１    （３）
【００５１】
式（１）および（２）と異なり、スペーサーの厚さ関係を反転させることで、２ｍ番目に位置するスペーサーの厚さｔ2mと、隣接する他のスペーサーの厚さｔ2m+1、ｔ2(m+1)との間に、下記の関係が共に成り立つように設定しても良い。但し、この方法は、層数が偶数の場合、一番奥の層の上のスペーサーが厚くなり、最も手前側のスペーサーも厚くなることなる。一方、式（１）および（２）に記載の方法は、一番奥の層の上のスペーサーが薄くなり、最も手前側のスペーサーも薄くなる。したがって、スペーサーの合計の厚みを薄くする点では、式（１）および（２）の関係を設定する方法の方が有利と言える。
【００５２】
ｔ2m＞ｔ2m+1             （４）
ｔ2(m+1)＞ｔ2m+1         （５）
Ｒn+2×Ｒn+3＜０．０１   （６）
【００５３】
この発明を適用した８層ディスク（反射率設計が図８における４．８％の場合に相当）におけるスペーサー設定を図９に示す。この例においては、ｎ＝２以上の場合に余裕を持って式（３）を満たすため、（ｔ1＞ｔ0＞ｔ3＝ｔ5＞ｔ2＝ｔ4＝ｔ6）の関係とされてい
る。つまり、ｔ6＝ｔ4＝ｔ2且つｔ5＝ｔ3と設定することが可能となり、多重反射を軽減
するために必要なスペーサーの種類を７種類から４種類まで減らすことが可能となる。スペーサーの種類を減らすことによって大量生産が容易となり、よりローコストに多層光ディスクを製造することが可能となる。また、奥側のスペーサーの厚みｔ1およびｔ0を手前側のスペーサーの厚みに比して大きくすることは、上述した反射率の点のみならず、ｔ1
およびｔ0間の厚みの差を大きくして多重反射の影響を軽減する点でも有利である。
【００５４】
なお、更に設計反射率を４．０％および３．０％にそれぞれ下げた８層ディスクの場合には、ｔ6＝ｔ4＝ｔ2＝ｔ0且つｔ5＝ｔ3＝ｔ1と設定することが可能で、スペーサーの種
類を２種類にまで減らすことも可能である。
【００５５】
以上、この発明の各実施形態について具体的に説明したが、この発明は、上述の実施形態に限定されるものではなく、この発明の技術的思想に基づく各種の変形が可能である。例えば、この発明は、８層を上回る層数の多層ディスク媒体にも適用が可能である。この発明は、再生専用ディスクを始め、書き換え型、追記型光ディスクにも同様に適用することができる。また、この発明は、光ディスク媒体のみならず、3 次元的に信号情報を記録する他の多層媒体や体積型記録媒体にも応用が可能である。
【図面の簡単な説明】
【００５６】
【図１】この発明を適用できるＢＤディスクを再生するために使用される高開口数対物レンズを示す略線図である。
【図２】ＢＤディスクを再生するために使用される光ピックアップの光学系の一例の構成を示す略線図である。
【図３】光ピックアップに使用される液晶素子の電極分割の構成を示す略線図である。
【図４】光ピックアップに使用される受光素子の構成を示す略線図である。
【図５】４分割受光素子による非点収差焦点誤差信号の生成を説明するための略線図である。
【図６】６層光ディスクにおける多重反射の例を示す略線図である。
【図７】多重反射が軽減された６層光ディスクの層構成を示す略線図である。
【図８】８層光ディスクにおける反射率の設計例を示すグラフである。
【図９】この発明が適用された８層光ディスクの層構成を示す略線図である。
【図１０】先に提案されている４層光ディスクの層構成を示す略線図である。
【符号の説明】
【００５７】
Ｌ０〜Ｌ７・・・情報記録層
ｔ0〜ｔ6・・・層間に配置されたスペーサーの厚み
１１・・・ＢＤディスク
１１ａ・・光透過層
１２、１４・・・２群対物レンズ
１６・・・半導体レーザ
２０・・・ビームスプリッタ
２７・・・受光素子
【図１】
2006040456.tif 000003
【図２】
2006040456.tif 000004
【図３】
2006040456.tif 000005
【図４】
2006040456.tif 000006
【図５】
2006040456.tif 000007
【図６】
2006040456.tif 000008
【図７】
2006040456.tif 000009
【図８】
2006040456.tif 000010
【図９】
2006040456.tif 000011
【図１０】
2006040456.tif 000012